(57)【要約】【課題】小型化を実現可能な撮像装置を提供する。【解決手段】デジタルカメラ１Ａは、撮像を行い、撮像画像に係る画像データを生成する撮像装置である。デジタルカメラ１Ａでは、カメラボディ２１の正面において内蔵フラッシュユニット（以下では、単に「フラッシュ」とも称する）２５を前方に突出させている。そして、これにより形成された、フラッシュ２５の後方のカメラボディ２１の内部空間ＳＰに、フラッシュ２５のフラッシュ光の発光に利用されるメインコンデンサ４５が配置されている。【選択図】図１０
2006010743.tif 000002
【特許請求の範囲】
【請求項１】
撮像装置であって、
前記撮像装置の前方からの入射光を結像させる、前記撮像装置の筐体の正面に設けられた撮影レンズと、
前記撮像装置の前方にフラッシュ光を照射する、前記撮影レンズの光軸の上方に設けられた内蔵フラッシュユニットと、
前記内蔵フラッシュユニットのフラッシュ光の発光に用いられる電力を蓄積するコンデンサと、
を備え、
前記筐体の正面において前記内蔵フラッシュユニットを前方に突出させることにより形成された、前記内蔵フラッシュユニットの後方の前記筐体の内部空間に前記コンデンサを配置することを特徴とする撮像装置。
【請求項２】
請求項１に記載の撮像装置において、
前記撮影レンズによって結像された像に係る画像を前記筐体の背面から視認可能に表示するファインダユニットをさらに備え、
前記ファインダユニットが前記コンデンサの後方に配置されることを特徴とする撮像装置。
【請求項３】
撮像装置であって、
前記撮像装置の前方からの入射光を結像させる、前記撮像装置の筐体の正面に設けられた撮影レンズと、
前記撮影レンズの光軸の上方正面寄りに設けられた、前記撮像装置の前方にフラッシュ光を照射する内蔵フラッシュユニットと、
前記撮影レンズの光軸の上方背面寄りに設けられた、前記撮影レンズによって結像された像に係る画像を前記筐体の背面から視認可能に表示するファインダユニットと、
前記内蔵フラッシュユニットのフラッシュ光の発光に用いられる電力を蓄積するコンデンサと、
を備え、
前記コンデンサが、前記内蔵フラッシュユニットと前記ファインダユニットとの間に形成される、前記筐体の内部空間に配置されることを特徴とする撮像装置。
【請求項４】
請求項１ないし請求項３のいずれかに記載の撮像装置であって、
前記ファインダユニットが、電子化された画像データに係る画像を表示する電子ビューファインダユニットであることを特徴とする撮像装置。
【請求項５】
請求項１ないし請求項４のいずれかに記載の撮像装置において、
前記撮影レンズを構成するレンズ鏡胴上に前記コンデンサが載置されることを特徴とする撮像装置。
【発明の詳細な説明】
【技術分野】
【０００１】
本発明は、内蔵フラッシュユニットを備える撮像装置に関する。
【背景技術】
【０００２】
焦点距離が長い望遠系レンズを搭載するカメラでは、フラッシュ光を遠方まで到達させるために、大光量のフラッシュユニットの内蔵を要求される場合がある。このような大光量のフラッシュユニットを実現するためには、フラッシュユニットを発光させるための電力を蓄積するメインコンデンサの容量を増加させる必要がある。その一方で、カメラに対する小型化要求も強く、大容量のメインコンデンサを収納する空間をカメラボディ内に確保するためには、カメラを構成する部材をカメラボディ内に適切に配置する必要がある。
【０００３】
例えば、撮影レンズの上部正面寄りにフラッシュユニットが設けられ、撮影レンズの上部背面寄りにファインダユニットが設けられる銀塩フィルム使用一眼レフカメラでは、フラッシュユニットとファインダユニットとの間に形成されるカメラボディ内の空間には、大体積を占めるペンタプリズムが設けられる。そして、グリップ部やフィルム巻上スプール内に、上述のメインコンデンサが配置される。あるいは、カメラボディの肩部に、複数のコンデンサが分散して配置されることもある。
【０００４】
また、例えば、コンパクトカメラ等と称されるその他の種の銀塩フィルム使用カメラでは、小型化のために、ファインダユニットの前方にメインコンデンサを配置した例（特許文献１）や、フラッシュユニットの後方にメインコンデンサを配置した例（特許文献２）がある。
【０００５】
【特許文献１】特開２００３−３４４９４４号公報
【特許文献２】登録実用新案第２５４９８１２号公報
【発明の開示】
【発明が解決しようとする課題】
【０００６】
デジタルカメラ、特に高倍率ズームレンズを搭載したデジタルカメラでは、カメラらしい意匠を実現するために、ファインダユニット、フラッシュユニットおよび背面表示部等の部材の中心が撮影光学系の光軸を含む垂直面に含まれるような配置を採用する場合がある。また、デジタルカメラでは、電源として、単３型乾電池のような汎用性の高い電池を複数本使用することが多く、電池を収納するためのスペースもカメラボディ内に確保する必要がある。これらの理由により、デジタルカメラのような撮像装置では、先述の銀塩フィルム使用カメラと同様のメインコンデンサの配置では、カメラボディの内部のスペースを有効活用できず、小型化を実現できない場合も生ずる。
【０００７】
本発明は、上記の問題を解決するためになされたもので、小型化を実現可能な撮像装置を提供することを目的とする。
【課題を解決するための手段】
【０００８】
上記課題を解決するため、請求項１の発明は、撮像装置であって、前記撮像装置の前方からの入射光を結像させる、前記撮像装置の筐体の正面に設けられた撮影レンズと、前記撮像装置の前方にフラッシュ光を照射する、前記撮影レンズの光軸の上方に設けられた内蔵フラッシュユニットと、前記内蔵フラッシュユニットのフラッシュ光の発光に用いられる電力を蓄積するコンデンサとを備え、前記筐体の正面において前記内蔵フラッシュユニットを前方に突出させることにより形成された、前記内蔵フラッシュユニットの後方の前記筐体の内部空間に前記コンデンサを配置することを特徴とする。
【０００９】
請求項２の発明は、請求項１に記載の撮像装置において、前記撮影レンズによって結像された像に係る画像を前記筐体の背面から視認可能に表示するファインダユニットをさらに備え、前記ファインダユニットが前記コンデンサの後方に配置されることを特徴とする。
【００１０】
請求項３の発明は、撮像装置であって、前記撮像装置の前方からの入射光を結像させる、前記撮像装置の筐体の正面に設けられた撮影レンズと、前記撮影レンズの光軸の上方正面寄りに設けられた、前記撮像装置の前方にフラッシュ光を照射する内蔵フラッシュユニットと、前記撮影レンズの光軸の上方背面寄りに設けられた、前記撮影レンズによって結像された像に係る画像を前記筐体の背面から視認可能に表示するファインダユニットと、前記内蔵フラッシュユニットのフラッシュ光の発光に用いられる電力を蓄積するコンデンサとを備え、前記コンデンサが、前記内蔵フラッシュユニットと前記ファインダユニットとの間に形成される、前記筐体の内部空間に配置されることを特徴とする。
【００１１】
請求項４の発明は、請求項１ないし請求項３のいずれかに記載の撮像装置であって、前記ファインダユニットが、電子化された画像データに係る画像を表示する電子ビューファインダユニットであることを特徴とする。
【００１２】
請求項５の発明は、請求項１ないし請求項４のいずれかに記載の撮像装置において、前記撮影レンズを構成するレンズ鏡胴上に前記コンデンサが載置されることを特徴とする。
【発明の効果】
【００１３】
請求項１または請求項２の発明によれば、筐体の前面において内蔵フラッシュユニットを前方に突出させることにより形成された、内蔵フラッシュユニットの後方の筐体の内部空間を有効利用可能となるので、撮像装置を小型化可能である。
【００１４】
請求項３の発明によれば、内蔵フラッシュユニットとファインダユニットとの間に形成される筐体の内部空間を有効利用可能となるので、撮像装置を小型化可能である。
【００１５】
請求項４の発明によれば、電子ビューファインダの採用により大型のペンタプリズムが不要になるので、コンデンサを配置するための空間を容易に確保可能である。
【００１６】
請求項５の発明によれば、レンズ鏡胴上にコンデンサが載置されるので、レンズ鏡胴上の内部空間を有効利用可能である。
【発明を実施するための最良の形態】
【００１７】
＜＜第１実施形態＞＞
第１実施形態のデジタルカメラ１Ａは、撮像を行い、撮像画像に係る画像データを生成する撮像装置である。デジタルカメラ１Ａでは、カメラボディ２１の正面において、内蔵フラッシュユニット（以下では、単に「フラッシュ」とも称する）２５を前方に突出させている。そして、デジタルカメラ１Ａでは、これにより形成された、フラッシュ２５の後方のカメラボディ２１の内部空間ＳＰに、フラッシュ２５のフラッシュ光の発光に利用される電力を蓄積するメインコンデンサ４５が配置される。また、別の見方をすれば、デジタルカメラ１Ａでは、メインコンデンサ４５が、フラッシュ２５と電子ビューファインダユニット（以下では、単に「電子ビューファインダ」とも称する）２３との間に形成される、カメラボディ２１の内部空間ＳＰに配置される。
【００１８】
＜外観構成＞
図１〜図６は、デジタルカメラ１Ａの外観構成を示す図である。図１〜図６は、それぞれ、デジタルカメラ１Ａを前方から見た正面図、後方から見た背面図、上方から見た上面図、下方から見た下面図、左方から見た左側面図および右方から見た右側面図である。
【００１９】
図１に示すように、デジタルカメラ１Ａの筐体であるカメラボディ２１の正面には、撮影レンズ２２が設けられる。撮影レンズ２２は、デジタルカメラ１Ａの前方からの入射光をＣＣＤ（Charge Coupled Device）８（図８〜図１０参照）の受光面８Ｓに結像させる。撮影レンズ２２は、例えば、ズーム倍率８倍（焦点距離６ｍｍ〜４８ｍｍ）のズームレンズである。
【００２０】
カメラボディ２１の正面には、デジタルカメラ１Ａの前方にフラッシュ光を照射するポップアップ方式のフラッシュ２５も設けられる。フラッシュ２５は、撮影レンズ２２の光軸ＯＡ（図７〜図１０参照）の垂直上方に設けられる。フラッシュ２５は、被写体へのフラッシュ光の到達が撮影レンズ２２によって妨げられること（いわゆる「ケラレ」）を防止するために、デジタルカメラ１Ａの意匠を損ねない程度にカメラボディ２１の正面寄りに設けられる。図１〜図６に示す収納された状態のフラッシュ２５は、ユーザの所定の操作によりポップアップさせることができる。ポップアップされたフラッシュ２５は、フラッシュ撮影に使用可能である。なお、フラッシュ２５は、好ましくは、カメラボディ２１の正面において、５〜３０ｍｍ程度だけ前方に突出して設けられる。
【００２１】
カメラボディ２１の左方には、デジタルカメラ１Ａのホールドを容易ならしめるためのグリップＧが形成される。図３に示すように、グリップＧの上部正面寄りには、シャッタボタン２６が設けられる。シャッタボタン２６は、半押し状態と全押し状態とを検出可能な２段階押しボタンスイッチである。シャッタボタン２６の半押しは、オートフォーカス制御等の撮影準備動作をデジタルカメラ１Ａに実行させるトリガとなり、シャッタボタン２６の全押しは、本撮影動作をデジタルカメラ１Ａに実行させるトリガとなる。グリップＧの上部背面寄りには、モード設定ダイアル２８が設けられる。モード設定ダイアル２８は、デジタルカメラ１Ａの撮影モードの設定に用いられる。シャッタボタン２６およびモード設定ダイアル２８の間には、マクロモードやフラッシュモードの設定に用いられる各種設定ボタン２９が設けられる。
【００２２】
図２に示すように、カメラボディ２１の背面には、電子ビューファインダ２３および背面モニタ２４が設けられる。電子ビューファインダ２３は、撮影レンズ２２の光軸ＯＡの垂直上方に設けられる。電子ビューファインダ２３は、カメラボディ２１の背面側から接眼できるように、背面寄りの位置、好ましくは、背面において、５〜１０ｍｍ程度だけ突出して設けられる。これにより、電子ビューファインダ２３に表示された画像は、カメラボディ２１の背面から視認可能となる。電子ビューファインダ２３または背面モニタ２４には、撮影待機状態におけるライブビュー画像（撮影レンズ２２によって結像された像に係る画像）、メモリカード１３（図１１参照）から読み出された再生画像およびメニュー画面が表示される。フラッシュ２５、電子ビューファインダ２３および背面モニタ２４は、撮影レンズ２２の光軸ＯＡを含む垂直面にその各中心が含まれるように配置される。なお、ファインダとして電子ビューファインダ２３を採用することにより、大型のペンタプリズムが不要になるので、メインコンデンサ４５を配置するための内部空間ＳＰを容易に確保可能である。
【００２３】
背面モニタ２４の右方には、上下左右方向の４個のボタンから構成される十字キー２７Ａが設けられる。十字キー２７Ａの４個のボタンの中央には、決定ボタン２７Ｂが設けられる。十字キー２７Ａは、メニュー画面におけるカーソル移動および再生画像の駒送りに用いられる。決定ボタン２７Ｂは、カーソルによる選択肢の選択を確定させるために用いられる。
【００２４】
さらに、カメラボディ２１の背面には、背面モニタ２４へのメニュー画面の呼び出し、直近の撮影画像の背面モニタ２４への再生表示（クイックビュー）および消去、電子ビューファインダ２３または背面モニタ２４の選択等に用いられる各種設定ボタン２９が設けられる。
【００２５】
＜内部構成＞
図７〜図９は、デジタルカメラ１Ａの内部構成を示す図である。図７〜図９は、それぞれ、デジタルカメラ１Ａを上方から見た内部構成を示す図、前方から見た内部構成を示す図および下方から見た内部構成を示す図である。
【００２６】
図７に示すように、デジタルカメラ１Ａでは、フラッシュ２５と電子ビューファインダ２３との間に、メインコンデンサ４５およびフラッシュ回路基板４１が設けられる。メインコンデンサ４５およびフラッシュ回路基板４１の詳細は＜メインコンデンサおよびフラッシュ回路基板＞の欄で説明する。
【００２７】
撮影レンズ２２は、複数のレンズユニット２２Ａ（図１０参照）を取り付けた、略円筒形状のレンズ鏡胴９により構成される。レンズ鏡胴９は、図７および図９に示すように、撮影レンズ２２の光軸ＯＡがカメラボディ２１の正面および背面に対して垂直となるように設けられる。また、レンズ鏡胴９には、レンズユニット２２Ａを駆動するレンズ駆動部６が取り付けられる。
【００２８】
レンズ鏡胴９の後方には、ＣＣＤ８が設けられる。ＣＣＤ８は、ＣＣＤ基板４３に取り付けられる。ＣＣＤ基板４３には、ＣＣＤ８以外にも各種電子部品が実装される。ＣＣＤ基板４３は、撮影レンズ２２の光軸ＯＡがＣＣＤ８の受光面８Ｓと中心Ｃで垂直に交差するように設けられる。
【００２９】
ＣＣＤ基板４３の後方には、メイン基板４２が設けられる。図８に示すように、メイン基板４２には、制御部（ワンチップ・マイクロコンピュータ等）２、信号・画像処理部（ワンチップ・デジタル信号処理プロセッサ等）３およびマイク４等の各種電子部品が実装される。また、メイン基板４２には、画像データの記録先となるメモリカード１３を着脱可能なカードホルダ４８も取り付けられる。メイン基板４２とＣＣＤ基板４３とは、コネクタ４９によって接続される。コネクタ４９により、メイン基板４２は、ＣＣＤ基板４３に各種制御信号を出力可能になるとともに、ＣＣＤ８が撮像した画像に係る画像信号をＣＣＤ基板４３から取得可能になる。
【００３０】
背面モニタ２４は、カメラボディ２１の内部の背面近傍に設けられた液晶ディスプレイ１１（図１０参照）の表示内容を、カメラボディ２１の背面に形成された矩形穴から視認可能とすることにより実現される。
【００３１】
カメラボディ２４の内部の背面近傍には、フラッシュ用の昇圧回路が実装された電源基板４７も設けられる。リード線Ｌ１によってメインコンデンサ４５に電気的に接続された電源基板４７は、メインコンデンサ４５の充電を行う。メインコンデンサ４５とフラッシュ発光管（キセノン管）Ｘｅとは、リード線Ｌ３によって電気的に接続される。リード線Ｌ３により、メインコンデンサ４５からフラッシュ発光管Ｘｅに発光のための電力を供給可能となる。さらに、電源基板４７は、トリガコイル４６にもリード線Ｌ２によって電気的に接続される。トリガコイル４６とフラッシュ発光管Ｘｅとは、フラッシュ発光管Ｘｅにトリガを与えるためのリード線Ｌ４によって接続される。リード線Ｌ２およびＬ４により、電源基板４７は、フラッシュ２５に含まれるフラッシュ発光管Ｘｅに発光のトリガを与えることが可能になる。
【００３２】
グリップＧの内部には、スピーカ１０が設けられ、またデジタルカメラ１Ａの動作電力を供給する電池４４が収納される。
【００３３】
＜メインコンデンサおよびフラッシュ回路基板＞
図１０は、図１のＸ−Ｘ面から見たデジタルカメラ１Ａの断面図である。
【００３４】
先述したように、デジタルカメラ１Ａでは、カメラボディ２１の正面においてフラッシュ２５を前方に突出させている。そして、これにより形成された、フラッシュ２５の後方のカメラボディ２１の内部空間ＳＰにメインコンデンサ４５が配置されている。さらに、メインコンデンサ４５の後方には、ファインダ２３が配置される。
【００３５】
一方、別の見方をすれば、＜外観構成＞の欄で説明したように、デジタルカメラ１Ａでは、フラッシュ２５が正面寄りに設けられ、電子ビューファインダ２３が背面寄りに設けられる。このため、フラッシュ２５と電子ビューファインダ２３との間に形成される、カメラボディ２１の内部空間ＳＰは、大型部品の収納に好適な空間となっている。そこで、デジタルカメラ１Ａでは、内部空間ＳＰにメインコンデンサ４５を配置している。
【００３６】
このような配置により、大容量のメインコンデンサ４５をデジタルカメラ１Ａに搭載可能になり、フラッシュ２５の発光量を増加させることが可能になる。また、レンズ鏡胴９上の内部空間ＳＰの有効利用により、デジタルカメラ１Ａを小型化可能である。
【００３７】
メインコンデンサ４５はさらに、撮影レンズ２２の一部の鏡筒ＬＢ内に上方から入り込むように配置されている。メインコンデンサ４５は撮影レンズ２２の後部付近上部に位置している。すなわち、撮影レンズ２２の後部付近は、撮影レンズ２２によって形成される光束が比較的絞られている位置であるので、このように鏡筒内に入り込ませることが一層容易になる。これにより、さらに容量の大きいメインコンデンサ４５を使用することが可能になる。
【００３８】
続いて、メインコンデンサ４５およびフラッシュ回路基板４１について説明する。メインコンデンサ４５は、典型的には、直径１８ｍｍ、高さ２５ｍｍの円筒形状を有する、容量２４０μＦ、耐圧３５０Ｖのアルミ電解コンデンサである。デジタルカメラ１Ａでは、円筒形状のメインコンデンサ４５がレンズ鏡胴９の上に縦積み載置されている。すなわち、メインコンデンサ４５の円筒軸方向は、デジタルカメラ１Ａの垂直方向となっている。メインコンデンサ４５は、一方の端面４５Ａから２本の電極リード線ＥＬが突出するラジアル型のリード部品である。もちろん、メインコンデンサ４５がアキシャル型のリード部品や表面実装型のチップ部品であってもよい。また、上述のメインコンデンサ４５のサイズ・形状・電気的特性は例示であって、発明を限定するものではない。
【００３９】
フラッシュ２５の発光を制御するフラッシュ回路基板４１は、矩形形状を有する。フラッシュ回路基板４１には、メインコンデンサ４５が直接実装されるとともに、フラッシュ回路５の各種電子部品が実装される。デジタルカメラ１Ａでは、フラッシュ回路基板４１は、メインコンデンサ４５の上方に配置される。
【００４０】
カメラボディ２１の内部であって、背面モニタ２４、メイン基板４２およびＣＣＤ基板４３の上方には、電子ビューファインダ２３が設けられる。電子ビューファインダ２３は、小型の液晶表示部３１とファインダレンズ３２とを備え、液晶表示部３１上に表示された画像の像をファインダレンズ３２とファインダ窓３３を介して視認可能にしたものである。
【００４１】
フラッシュは、不図示の軸を中心としてアップダウンする部分ＵＤを備え、その先端近傍にフラッシュ発光管Ｘｅや反射傘Ｒ、発光窓Ｗ等を備えている。また、アップダウン部ＵＤの上面Ｓ１はカメラの外観部分を構成している。このアップダウン部ＵＤがポップアップしたときは図１０に位置２５’まで上昇して発光窓Ｗが正面を向き、一方、押し下げられたときには図１０の位置２５、すなわちメインコンデンサ４５の前方の位置に発光窓Ｗがやや下方を向いて収納される。このとき、図１０に示されるように前方からフラッシュ２５、メインコンデンサ４５および電子ビューファインダ２３が略一列に並ぶ。またこれにより、アップダウン部ＵＤの上面（外観部分）Ｓ１は電子ビューファインダ２３が収納されている個所の外観部分上面Ｓ２から略滑らかに連続する面を描くようになる。
【００４２】
フラッシュ２５のフラッシュ発光管Ｘｅに電気的に接続されたリード線Ｌ３は、フラッシュ２５の回動軸２５Ａの中心に形成した穴を通してカメラボディ２１の内部に導入され、メインコンデンサ４５に接続される。
【００４３】
＜機能構成＞
図１１は、デジタルカメラ１Ａの機能構成を示すブロック図である。
【００４４】
デジタルカメラ１Ａは、制御部２を備える。制御部２は、ＣＰＵ２Ａを含むマイクロコンピュータであり、所定のプログラムにしたがってデジタルカメラ１Ａの各構成を統括制御する。制御部２は、シャッタボタン２６、十字キー２７Ａ、決定ボタン２７Ｂ、モード設定ダイアル２８および各種設定ボタン２９等を含む操作部１の状態を検出して、その検出結果に基づいてデジタルカメラ１Ａを動作させる。
【００４５】
制御部２は、電子ビューファインダ（ＥＶＦ；Electronic View Finder）２３または液晶ディスプレイ（ＬＣＤ；Liquid Crystal Display）１１（背面モニタ２４）へ画像に係る画像データを出力して、電子ビューファインダ２３または液晶ディスプレイ１１に当該画像を視認可能に表示させる。また、制御部２は、カードインターフェース（カードＩ／Ｆ）１２を介してメモリカード１３にアクセス可能である。これにより、制御部１２は、メモリカード１３に記録された画像データの読み出し、およびメモリカード１３への画像データの記録を行うことができる。
【００４６】
撮像素子であるＣＣＤ８は、撮影レンズ２２によって受光面８Ｓに結像された被写体像を画像信号に光電変換して、信号・画像処理部３へ出力する。信号・画像処理部３は、タイミング制御回路７から与えられる駆動制御信号に同期して、当該画像信号に所定の処理を施し画像データを生成する。生成された画像データは、制御部２を介してメモリカード１３に記録される他、撮影待機状態において電子ビューファインダ２３または液晶ディスプレイ１１に表示されるライブビュー画像の表示にも用いられる。
【００４７】
タイミング制御回路７は、制御部２から与えられる基準クロック信号に基づいて、ＣＣＤ８の駆動制御信号を生成する。生成された駆動制御信号は、ＣＣＤ８および信号・画像処理部３へ出力される。
【００４８】
レンズ駆動部６は、制御部２から与えられる制御信号に基づいて撮影レンズ９を構成するレンズユニット２２Ａを駆動する。これにより、デジタルカメラ１Ａでは、撮影レンズ２２の焦点距離（ズーム倍率）および合焦状態を変化させることができる。より具体的には、デジタルカメラ１Ａは、ＣＣＤ８によって撮像された画像に係る画像データから合焦評価値を算出し、当該合焦評価値が最大となるようにレンズユニット２２Ａを駆動することにより合焦を実現する、オートフォーカス制御を採用している。
【００４９】
また、デジタルカメラ１Ａでは、フラッシュ撮影時の調光制御は、制御部２およびフラッシュ回路５によって行われる。フラッシュ回路５は、制御部２から与えられる制御信号に基づいてメインコンデンサ５にフラッシュ発光のための電力を充電する。当該電力はフラッシュ発光時にフラッシュ２５のフラッシュ発光管Ｘｅで放電される。
【００５０】
さらに、制御部２には、音声の再生や報知音の発生に用いられるスピーカ１０および音声の録音に用いられるマイク４が接続される。また、制御部２には、外部電子機器との通信を行うための通信用インターフェース（通信用Ｉ／Ｆ）１４も接続される。
【００５１】
＜＜第２実施形態＞＞
第１実施形態では、ポップアップ方式のフラッシュ２５を採用したデジタルカメラ１Ａを示したが、第２実施形態では、固定方式のフラッシュ１２５を採用したデジタルカメラ１Ｂを示す。なお、デジタルカメラ１Ｂは、フラッシュ１２５以外はデジタルカメラ１Ａと類似の構成を有する。このため、デジタルカメラ１Ｂの構成のうち、デジタルカメラ１Ａと同等の構成には同じ参照符号を付与して詳細説明を省略する。
【００５２】
第１実施形態の図１０に相当する図１２の断面図に示すように、デジタルカメラ１Ｂは、デジタルカメラ１Ａのフラッシュ２５を、固定方式のフラッシュ１２５に置き換えたものに相当する。このようなデジタルカメラ１Ｂにおいても、大容量のメインコンデンサ４５を搭載可能であり、フラッシュ１２５の発光量を増加させることが可能になる。また、レンズ鏡胴９上の内部空間ＳＰの有効利用により、デジタルカメラ１Ｂを小型化可能である。
【００５３】
＜＜第３実施形態＞＞
第１実施形態では、メインコンデンサ４５がレンズ鏡胴９の上に縦積み載置されたデジタルカメラ１Ａを示したが、第３実施形態では、メインコンデンサ４５がレンズ鏡胴９の上に横積み載置されたデジタルカメラ１Ｃを示す。なお、デジタルカメラ１Ｃは、メインコンデンサ４５およびフラッシュ回路基板２４の配置以外はデジタルカメラ１Ａと類似の構成を有する。このため、デジタルカメラ１Ｃの構成のうち、デジタルカメラ１Ａと同等の構成には同じ参照符号を付与して詳細説明を省略する。
【００５４】
第１実施形態の図１０に相当する図１３の断面図に示すように、デジタルカメラ１Ｃは、デジタルカメラ１Ａのメインコンデンサ４５を縦積み載置から横積み載置に変更したものに相当する。すなわち、デジタルカメラ１Ｃでは、メインコンデンサ４５の円筒軸方向はデジタルカメラ１Ｃの水平方向となっている。さらに、デジタルカメラ１Ｃでは、フラッシュ回路基板は、電子ビューファインダ２３の側部（図示せず）に設けられている。そして、メインコンデンサ４５の電極ＥＬとフラッシュ回路基板２４とは、リード線Ｌ５によって接続される。このようなデジタルカメラ１Ｃにおいても、大容量のメインコンデンサ４５を搭載可能であり、フラッシュ２５の発光量を増加させることが可能になる。また、レンズ鏡胴９上の内部空間ＳＰの有効利用により、デジタルカメラ１Ｃを小型化可能である。
【００５５】
なお、デジタルカメラ１Ｃにおいて、ポップアップ方式のフラッシュ２５に代えて、固定方式のフラッシュを採用してもよい。
【００５６】
＜＜第４実施形態＞＞
第２実施形態では、背面モニタ２４および電子ビューファインダ２３に別々の表示デバイス１１、３１が搭載されたデジタルカメラ１Ｂを示したが、第４実施形態では、ひとつの表示デバイス（液晶ディスプレイ１１）を背面モニタ２４および電子ビューファインダ２３の両方の表示デバイスとして利用するデジタルカメラ１Ｄを示す。
【００５７】
デジタルカメラ１Ｄにおける背面モニタ２４と電子ビューファインダ２３との切り替えは、カメラボディ２１に内蔵された液晶ディスプレイ１１と可動ミラー３０１の位置を切り替えることにより実現される。ここで、当該切り替え機構を有するファインダを以下では「スイッチファインダ」とも称する。第１実施形態の図１０に相当する図１４は、スイッチファインダＳＦが搭載されたデジタルカメラ１Ｄを示す断面図である。スイッチファインダＳＦは、接眼光学系２３Ａ、固定ミラー２３Ｂ、可動ミラー３０１および液晶ディスプレイ１１を備える。なお、図１４では、電子ビューファインダ２３が使用されている場合の可動ミラー３０１および液晶ディスプレイ１１の配置が図示されている。ここで、電子ビューファインダ２３から背面モニタ２４への切り替えは、可動ミラー３０１および液晶ディスプレイ１１を矢印ＡＲの方向に移動させることにより実現される。なお、デジタルカメラ１Ｄは、スイッチファインダＳＦ以外はデジタルカメラ１Ｂと類似の構成を有するので、デジタルカメラ１Ｄの構成のうち、デジタルカメラ１Ｂと同等の構成には同じ参照符号を付与して詳細説明を省略する。
【００５８】
このようなデジタルカメラ１Ｄにおいても、大容量のメインコンデンサ４５を搭載可能であり、フラッシュ２５の発光量を増加させることが可能になる。また、レンズ鏡胴９上の内部空間ＳＰの有効利用により、デジタルカメラ１Ｄを小型化可能である。
【００５９】
＜＜第５実施形態＞＞
第１〜第４実施形態では、電子ビューファインダを採用したデジタルカメラ１Ａ〜１Ｄを示したが、ペンタプリズムを有する光学ファインダの採用も妨げられない。そこで、第５実施形態では、光学ファインダを採用したデジタルカメラ１Ｅを示す。なお、デジタルカメラ１Ｅは、撮影レンズや光学ファインダ等の光学系以外はデジタルカメラ１Ａと類似の構成を有する。このため、デジタルカメラ１Ｅの構成のうち、デジタルカメラ１Ａと同等の構成には同じ参照符号を付与して詳細説明を省略する。
【００６０】
図１５は、一眼レフタイプのデジタルカメラ１Ｅを右方から見た内部構成を示す図である。
【００６１】
デジタルカメラ１Ｅのカメラボディ５２１の正面には、交換可能な撮影レンズ５２２が設けられる。撮影時において、撮影レンズ５２２は、デジタルカメラ１Ｅの前方からの入射光をＣＣＤ８の受光面８Ｓに結像させる。撮影レンズ５２２は、カメラボディ５２１から着脱可能であるので、ユーザは所望の撮影レンズをカメラボディ５２１に装着して撮影に用いることができる。
【００６２】
カメラボディ５２１の内部には、主ミラー５２３が設けられる。主ミラー５２３は支点５２３ａを軸として回動可能である。撮影レンズ５２２の光軸ＯＡと主ミラー５２３との交点近傍の中央部ＭＣは、半透ミラーとなっている。
【００６３】
主ミラー５２３が図１５に示す位置にある撮影待機時においては、撮影レンズ５２２によって取得された入射光は、位相差焦点検出モジュール５２４へ至る透過光と接眼窓５２６へ至る反射光とに分割される。一方、主ミラー５２３が図１５に示す位置から矢印ＡＲ２の方向に約４５°ミラーアップされた位置にある撮影時には、撮影レンズ５２２によって取得された入射光は、フォーカルプレンシャッタ５２７を経て、ＣＣＤ８の受光面８Ｓに結像される。
【００６４】
主ミラー５２３の透過光は、主ミラー５２３に取り付けられた全反射ミラーであるサブミラー５２５によって反射され、位相差焦点検出モジュール５２４へ導かれる。位相差焦点検出モジュール５２４は、撮影レンズ５２２の合焦状態の検出のために設けられる。デジタルカメラ１Ｅは、位相差焦点検出モジュール５２４の検出結果に基づいて、オートフォーカス制御を行う。
【００６５】
主ミラー５２３の反射光は、ペンタプリズム５２８によって正像に変換され、接眼レンズ５２９を経て接眼窓５２６に導かれる。接眼窓５２６、接眼レンズ５２９およびペンタプリズム５２８を含む光学ファインダユニット５３０によって、撮影レンズ５２２によって結像された像に係る画像をデジタルカメラ１Ｅの背面から視認可能となる。
【００６６】
カメラボディ５２１の正面には、固定方式のフラッシュ５３１も設けられる。フラッシュ５３１は、撮影レンズ５２２の光軸ＯＡの垂直上方に設けられる。フラッシュ５３１は、被写体へのフラッシュ光の到達が撮影レンズ５２２によって妨げられることを防止するために、デジタルカメラ１Ｅの意匠を損ねない程度にカメラボディ５２１の正面寄りに設けられる。フラッシュ５３１は、好ましくは、カメラボディ５２１の正面において５〜３０ｍｍ程度だけ突出して設けられる。そして、これにより形成された、フラッシュ５３１の後方のカメラボディ５２１の内部空間ＳＰに、フラッシュ５３１のフラッシュ光の発光に利用される電力を蓄積するメインコンデンサ４５が配置されている。さらに、メインコンデンサ４５の後方に、光学ファインダユニット５３０が設けられる。
【００６７】
一方、別の見方をすれば、デジタルカメラ１Ｅでは、フラッシュ５３１が正面寄りに設けられ、光学ファインダユニット５３０が背面寄りに設けられる。このため、フラッシュ５３１と光学ファインダユニット５３０との間に形成される、カメラボディ５２１の内部の空間ＳＰは、大型部品の収納に好適な空間となっている。そこで、デジタルカメラ１Ｅでは、フラッシュ５３１の発光に利用される電力を蓄積するメインコンデンサ４５を内部空間ＳＰに配置している。
【００６８】
このような配置により、大容量のメインコンデンサ４５をデジタルカメラ１Ｅに搭載可能になり、フラッシュ５３１の発光量を増加させることが可能になる。また、内部空間ＳＰの有効利用により、デジタルカメラ１Ｅを小型化可能である。
【００６９】
＜変形例＞
なお、上述の各実施形態では、電子ビューファインダ、フラッシュはそれぞれ撮影レンズの光軸垂直上方に設けられているが、厳密に光軸垂直上方である必要はなく、撮影レンズの光路（撮影レンズによって形成される光束の通過位置）の垂直上方に配置されればよいことはもちろんである。
【図面の簡単な説明】
【００７０】
【図１】デジタルカメラ１Ａを前方から見た正面図である。
【図２】デジタルカメラ１Ａを後方から見た背面図である。
【図３】デジタルカメラ１Ａを上方から見た上面図である。
【図４】デジタルカメラ１Ａを下方から見た下面図である。
【図５】デジタルカメラ１Ａを左方から見た左側面図である。
【図６】デジタルカメラ１Ａを右方から見た右側面図である。
【図７】デジタルカメラ１Ａを上方から見た内部構成を示す図である。
【図８】デジタルカメラ１Ａを前方から見た内部構成を示す図である。
【図９】デジタルカメラ１Ａを下方から見た内部構成を示す図である。
【図１０】図１のＸ−Ｘ面から見たデジタルカメラ１Ａの断面図である。
【図１１】デジタルカメラ１Ａの機能構成を示すブロック図である。
【図１２】デジタルカメラ１Ｂの断面図である。
【図１３】デジタルカメラ１Ｃの断面図である。
【図１４】デジタルカメラ１Ｄの断面図である。
【図１５】デジタルカメラ１Ｅの断面図である。
【符号の説明】
【００７１】
１Ａ〜１Ｅ  デジタルカメラ
９  レンズ鏡胴
１１  液晶ディスプレイ
２１，５２１  カメラボディ
２２，５２２  撮影レンズ
２３  電子ビューファインダユニット（電子ビューファインダ）
２３Ａ  接眼光学系
２３Ｂ  固定ミラー
２５，５３１  内蔵フラッシュユニット（フラッシュ）
４１  フラッシュ回路基板
４５  メインコンデンサ
５２３  主ミラー
５２４  位相差焦点検出モジュール
５２５  サブミラー
５２７  フォーカルプレンシャッタ
５２８  ペンタプリズム
５２９  接眼レンズ
５３０  光学ファインダユニット
３０１  可動ミラー
Ｌ１〜Ｌ５  リード線
ＯＡ  光軸
ＳＦ  スイッチファインダ
ＳＰ  内部空間
【図１】
2006010743.tif 000003
【図２】
2006010743.tif 000004
【図３】
2006010743.tif 000005
【図４】
2006010743.tif 000006
【図５】
2006010743.tif 000007
【図６】
2006010743.tif 000008
【図７】
2006010743.tif 000009
【図８】
2006010743.tif 000010
【図９】
2006010743.tif 000011
【図１０】
2006010743.tif 000012
【図１１】
2006010743.tif 000013
【図１２】
2006010743.tif 000014
【図１３】
2006010743.tif 000015
【図１４】
2006010743.tif 000016
【図１５】
2006010743.tif 000017